(57)【特許請求の範囲】
【請求項１】
フレーム（４）及び２つのレンズ（５）を備えた眼鏡の個々の着用者の読書モード又は筆記モードを確定する装置（１）であって、
−  前記フレーム（４）又は頭部の要素と作業面（１２）との間の距離を測定する手段（３、３１、３３）を備える装置（１）であり、
−  前記２つのレンズ（５）の平均平面（１０）の、前記平均平面（１０）に対して垂直な前記頭部の垂直正中面（Ｐ）における垂直面（１４）に対する傾斜角（α）を測定する手段と、
−  マイクロプロセッサを含む制御手段であって、前記測定された傾斜角（α）を前記マイクロプロセッサに記録された設定傾斜角と比較し、前記比較に応じて前記個人の読書モード又は筆記モードを確定することができる制御手段とをさらに備え、前記読書モードが所定の読書設定距離に関連し、前記筆記モードが所定の筆記設定距離に関連し、
前記手段（３、３１、３３）は、前記眼鏡フレーム（４）に固定して締結されており、前記フレーム（４）の前記２つのレンズ（５）の前記平均平面（１０）と作業面（１２）との間の距離を測定し、
前記手段（３、３１、３３）は、前記垂直正中面（Ｐ）においてそれらの主発光軸（３１０、３１１）の間が非ゼロ角であるように配置された２つの発光体（３１）と、前記２つの発光体（３１）のうちの少なくとも１つによって放出され且つ前記作業面（１２）によって反射された信号を受信することができるように配置された受信器（３３）とを備える、装置（１）。
【請求項２】
−  読書モードにおいて、前記測定された距離が、前記所定の読書設定距離より小さく、且つ／又は
−  筆記モードにおいて、前記測定された距離が、前記所定の筆記設定距離より小さい場合に、前記制御手段によって起動される警告手段をさらに備える、請求項１に記載の装置（１）。
【請求項３】
前記制御手段が、前記測定された傾斜角（α）が前記設定傾斜角より大きい場合に、所定の閾値傾斜角に応じて、前記読書モードと前記筆記モードとを識別することができ、前記読書モードが、前記所定の閾値傾斜角より小さく且つ前記設定傾斜角より大きい傾斜角（α）に関連し、前記筆記モードが、前記所定の閾値傾斜角より大きい傾斜角（α）に関連する、請求項１又は２に記載の装置（１）。
【請求項４】
読書面及び／又は筆記面の輝度値を測定する手段（３５）をさらに備え、前記警告手段が、前記測定された輝度値が、前記測定された距離及び眼鏡の前記個々の着用者が見出される前記筆記モード又は読書モードの設定輝度値関数より低い場合に、前記制御手段によって起動される、請求項２又は３に記載の装置（１）。
【請求項５】
前記距離を測定する手段（３、３１、３３）が、前記垂直正中面（Ｐ）において、それらの主軸（３１０、３１１、３３０）の角度が前記フレーム（４）の前記２つのレンズ（５）の前記平均平面（１０）に対して０°〜２０°の間にあるように配置される、請求項１〜４のいずれか一項に記載の装置（１）。
【請求項６】
前記距離を測定する手段（３、３１、３３）が、それらの主軸の水平傾斜角δが前記フレーム（４）の前記２つのレンズ（５）の前記平均平面（１０）に直交する直線に対して−４５°〜０°の間にあるように配置される、請求項１〜５のいずれか一項に記載の装置（１）。
【請求項７】
前記水平傾斜角δが、前記眼鏡の個々の着用者の形状及び／又は形態に応じて調整可能である、請求項６に記載の装置。
【請求項８】
前記傾斜角を測定する手段が、傾斜計及び／又は加速度計を含む、請求項１〜７のいずれか一項に記載の装置（１）。
【請求項９】
外部の記録及び／又は表示デバイスと通信することができる通信手段をさらに備える、請求項１〜８のいずれか一項に記載の装置（１）。
【請求項１０】
前記警告手段が、視覚警報、音声警報及びバイブレータのうちの少なくとも１つを含み、前記視覚警報は、前記着用者及び／又は前記着用者以外の人の目に見える、請求項２〜９のいずれか一項に記載の装置（１）。
【請求項１１】
前記測定された距離、前記測定された輝度値及び／又は前記警告手段の起動の回数を記録することができる記録手段をさらに備える、請求項２〜１０のいずれか一項に記載の装置（１）。
【請求項１２】
前記筆記設定距離及び／若しくは読書設定距離の値並びに／又は輝度設定値が個人化可能である、請求項４〜１１のいずれか一項に記載の装置（１）。
【請求項１３】
請求項１〜１２のいずれか一項に記載の装置（１）を用いて眼鏡の個々の着用者の読書モード又は筆記モードを確定する方法であって、
−  前記フレーム（４）又は頭部の前記要素と前記作業面（１２）との間の前記作業距離を測定するステップと、
−  前記垂直正中面（Ｐ）における垂直面（１４）に対して前記２つのレンズ（５）の前記平均平面（１０）の前記傾斜角（α）を測定するステップと、
−  前記測定された傾斜角（α）を設定傾斜角と比較するステップと、
−  前記比較に応じて前記個人の読書モード又は筆記モードを確定するステップであって、前記読書モードが所定の読書設定距離に関連し、前記筆記モードが所定の筆記設定距離に関連する、ステップとを含む方法。
【請求項１４】
−  前記測定された距離が前記所定の設定距離より小さい場合、前記筆記モード又は前記読書モードに応じて、前記着用者に対して姿勢を矯正するように警告するために警告を起動するステップをさらに含む、請求項１３に記載の方法。
【請求項１５】
−  前記傾斜角（α）が、所定時間（Ｔ）の間、前記設定傾斜角（αｃ）より大きい場合、前記頭部の動きのパラメータ（ｖα）を求めるステップと、
−  前記動きパラメータ（ｖα）が閾値動き値（ｖαｃ）より低い場合、前記閾値傾斜角（αｓ）に応じて前記読書モードと前記筆記モードとを識別するステップであって、前記読書モードが、前記閾値傾斜角（αｓ）より小さくかつ前記設定傾斜角（αｃ）より大きい傾斜角（α）に関連し、前記筆記モードが、前記閾値傾斜角（αｓ）より大きい傾斜角（α）に関連する、ステップとをさらに含む、請求項１３又は１４に記載の方法。
【請求項１６】
−  データを記録するステップであって、前記データが、前記測定された読書距離及び／若しくは筆記距離、前記測定された輝度値並びに／又は前記警告の起動の回数を含む、ステップと、
−  前記記録されたデータを外部の記録及び／又は表示デバイスに通信するステップとをさらに含む、請求項１３〜１５のいずれか一項に記載の方法。
【請求項１７】
外部の記録及び／又は表示デバイスにデータをリアルタイムに通信するステップをさらに含み、前記データが、前記測定された読書距離及び／若しくは筆記距離、前記測定された輝度値並びに／又は前記警告の起動の回数を含む、請求項１３〜１５のいずれか一項に記載の方法。
【発明の詳細な説明】
【技術分野】
【０００１】
本発明は、眼鏡の個々の着用者の読書モード又は筆記モードを確定する装置に関する。この発明は、視覚器具の分野に関し、より詳細には、近方視用の矯正レンズを含む眼鏡に関する。本発明はまた、前記装置を用いて眼鏡の着用者の読書モード又は筆記モードを確定する方法に関する。
【背景技術】
【０００２】
一般に、眼鏡の個々の着用者は、たとえば、読書するか又は筆記するときに好ましい作法に従わない場合、自身の視覚的欠陥を悪化させやすいということが認められている。特に、眼鏡の着用者によっては、特に長時間の作業の間、読書面及び／又は筆記面に過度に近接した姿勢をとる傾向があることが観察されてきた。また、近視は、一般に、生涯にわたって進行する複雑な過程の結果であることも知られている。特に、（出生時に見られる）先天的な近視に加えてまたはそうでなくとも、悪い近方視作業状態（不適切な姿勢、不十分な照明等）に連続してかつ繰り返しさらされることにより、近視の発症が促進され、それは、眼の輻輳角の増大及び調節のために眼がより著しく緊張するためである。これは、眼鏡の着用者が、近方視作業が必要な多くの日常活動がある、学校に通う子供である場合に、特に重要である。
【０００３】
眼鏡フレームに取り付けられた、フレームと着用者が凝視する作業面との間の距離を測定する装置が存在する。たとえば、欧州特許出願公開第１０８７２５２Ａ１号明細書は、眼鏡フレームについて記載しており、それは、フレームのレンズと着用者が凝視する点との間の距離を測定する測距手段と、測定された距離が設定された距離より小さい場合に測距手段によって起動される警報とが設けられている。たとえば、測距手段は、赤外線発光ダイオードと赤外線に感応するセンサとを含み、眼鏡のブリッジに固定されているハウジング内に収容されている。
【０００４】
しかしながら、この種の装置は、眼鏡の着用者が凝視する点が、テーブル又は机の天板等の水平作業面から、コンピュータ画面によって、又は、本若しくは画面を有する電子装置等、着用者の手に保持された物体によって構成される可能性があるという事実を考慮していない。したがって、入射角は、大きく且つ実質的に変化する可能性がある。特に、この装置は、読書モードと筆記モードとを識別するのに適していない。また、記載されている装置は、眼鏡の着用者が右利きである可能性があるか左利きである可能性がある（それにより、着用者の姿勢に関する制約がもたらされる）ことを考慮していない。
【発明の概要】
【発明が解決しようとする課題】
【０００５】
本発明の目的は、作業（読書、観察及び／又は筆記）距離の精密且つ信頼性の高い測定値を得ることができる人間工学的且つ小型の測定装置を提供することにより、上述した欠点を改善することである。これにより、着用者が凝視する面の特質が何であっても、悪い近方視姿勢について着用者に警告することができる。本発明はまた、本発明による装置を用いて実施される測定方法も提供する。
【課題を解決するための手段】
【０００６】
本発明は、この目的を、フレーム及び２つのレンズを備えた眼鏡の個々の着用者の読書モード又は筆記モードを確定する装置であって、
−  フレーム又は頭部の要素と作業面との間の距離を測定する手段と、
−  ２つのレンズの平均平面の、平均平面に対して垂直な頭部の垂直正中面における垂直面に対する傾斜角を測定する手段と、
−  測定された傾斜角を設定傾斜角と比較し、比較に応じて個人の読書モード又は筆記モードを確定することができる制御手段であって、読書モードが所定の読書設定距離に関連し、筆記モードが所定の筆記設定距離に関連する、制御手段と、
を備える装置を提供することによって満たす。
【０００７】
この装置により、読書モードと筆記モードとを、これらのモードにおける個人の姿勢が区別して評価されるのを可能にするために識別することができる。
【０００８】
「２つのレンズの平均平面」という表現は、同等に、本明細書の文脈においてレンズを囲むフレームの２つのリムの平均平面も意味し得る。
【０００９】
「頭部の要素」は、フレームに関連する頭部の解剖学的箇所（たとえば、眼球回転中心、瞳孔、眼の交連、額等）から構成することができる。フレームに対する位置は、（たとえば、統計的推定により）事前に確定することができ、または（たとえば、２次元測定システム又は３次元測定システムにより）測定することができる。
【００１０】
有利には、装置は、眼鏡フレームに固定して締結されるように意図されている。「固定して締結される」という用語は、たとえばクリップ又はより一般的には取外し可能なホルダによってフレームに追加されるか、又はフレーム内に、たとえばフレームのテンプルのうちの一方の中に直接組み込まれることを意味する。したがって、眼鏡の個々の着用者は、自身を不快にする可能性がある制約された姿勢をとる必要はなく、対照的に、自身の日常活動を行う時に通常ふるまうように自然にふるまうことができる。
【００１１】
好ましくは、フレームの２つのレンズの平均平面と作業面との間の距離を測定するのに好適である、距離を測定する手段。距離を測定する手段は、たとえば、眼鏡のテンプルのうちの一方に固定するか又は組み込むことができる。
【００１２】
距離を測定する手段は、たとえば筆記面又は読書面に近接して、作業面に配置することも可能である。たとえば、タブレット等の電子読書媒体に、距離を測定する手段を組み込むことができる。
【００１３】
好ましくは、装置は、
−  読書モードにおいて、測定された距離が所定の読書設定距離より小さく、且つ／又は
−  筆記モードにおいて、測定された距離が、所定の筆記設定距離より小さい
場合に、制御手段によって起動される警告手段をさらに備える。
【００１４】
警告手段は、眼鏡フレームに、又は電子タブレット等の読書媒体に一体化することができる。
【００１５】
したがって、この装置により、眼鏡の着用者が筆記面又は読書面に近づきすぎると、着用者が、自身の作業（読書又は筆記）モードとは無関係に自身の姿勢を矯正することができるために、着用者に対して警告が発せられる。作業面までの良い近方視距離により、特に近視、又は遠視等の他の視覚的欠陥の進行が促進されないようにすることができる。
【００１６】
有利には、制御手段は、測定された傾斜角が設定傾斜角より大きい場合に、所定の閾値傾斜角に応じて、読書モードと筆記モードとを識別することができ、読書モードは、所定の閾値傾斜角より小さく且つ設定傾斜角より大きい傾斜角に関連し、筆記モードは、所定の閾値傾斜角より大きい傾斜角に関連する。
【００１７】
好ましくは、本装置は、読書面及び／又は筆記面の輝度値を測定する手段をさらに備え、警告手段は、測定された輝度値が、測定された距離及び眼鏡の個々の着用者が見出される筆記モード又は読書モードの設定輝度値関数より低い場合に、制御手段によって起動される。
【００１８】
したがって、眼鏡の着用者に対して、筆記距離又は読書距離を考慮して、自身の作業面又は周囲照明の輝度が正視眼に対して十分でなくなるとすぐに、警告が発せられる。
【００１９】
有利には、距離を測定する手段は、２つの発光体であって、垂直平面においてそれらの主発光軸の間が非ゼロ角であるように配置された発光体と、２つの発光体のうちの少なくとも１つによって放出され且つ作業面によって反射された信号を受信することができるように配置された受信器とを備える。
【００２０】
測定手段のこの配置により、信号が、垂直平面において作業面に対して大きい入射角で放出される場合であっても、反射信号の特に精密且つロバストな検出が可能になる。
【００２１】
一実施形態では、フレームの２つのレンズの平均平面は、前傾角が垂直面に対して概して８°〜１０°の間にあるように配置される。有利には、距離を測定する手段は、レンズの平均平面に対して垂直な垂直平面において、それらの主軸の角度がフレームの２つのレンズの平均平面に対して０°〜２０°の間にあるように配置されている。
【００２２】
一変形によれば、距離を測定する手段は、それらの主軸の水平傾斜角δがフレームの２つのレンズの平均平面に直交する直線に対して−４５°〜０°の間にあるように配置されている。有利には、水平傾斜角δは、眼鏡の個々の着用者の形状及び／又は形態に応じて調整可能である。
【００２３】
好ましくは、傾斜角を測定する手段は、傾斜計及び／又は加速度計を含む。
【００２４】
一実施形態によれば、本発明による装置は、外部の記録及び／又は表示デバイスと通信することができる通信手段をさらに備える。
【００２５】
実施形態によれば、警告手段は、視覚警報、音声警報及びバイブレータのうちの少なくとも１つを含み、視覚警報は、着用者及び／又は着用者以外の人の目に見える。
【００２６】
好ましくは、本装置は、測定された距離、作業面の測定された輝度値及び／又は警告手段の起動の回数を記録することができる記録手段をさらに備える。
【００２７】
有利には、筆記設定距離及び／若しくは読書設定距離の値並びに／又は輝度設定値は個人化可能である。
【００２８】
本発明はまたまた、本発明による装置を用いて眼鏡の個々の着用者の読書モード又は筆記モードを確定する方法であって、
−  フレームの２つのレンズの平均平面と前記作業面との間の作業距離を測定するステップと、
−  前記垂直平面における垂直面に対して２つのレンズの平均平面の傾斜角を測定するステップと、
−  測定された傾斜角を設定傾斜角と比較するステップと、
−  比較に応じて個人の読書モード又は筆記モードを確定するステップであって、読書モードが所定の読書設定距離に関連し、筆記モードが所定の筆記設定距離に関連する、ステップと
を含む方法に関する。
【００２９】
有利には、本発明による方法は、
−  前記測定された距離が所定の設定距離より小さい場合、筆記モード又は読書モードに応じて、着用者に対して姿勢を矯正するように警告するために警告を起動するステップ
をさらに含む。
【００３０】
好ましくは、本発明による方法は、
−  傾斜角が、所定時間の間、設定傾斜角より大きい場合、頭部の動きのパラメータを求めるステップと、
−  前記動きパラメータが閾値動き値より低い場合、閾値傾斜角に応じて読書モードと筆記モードとを識別するステップであって、読書モードが、閾値傾斜角より小さくかつ設定傾斜角より大きい傾斜角に関連し、読書モードが、閾値傾斜角より大きい傾斜角に関連する、ステップと
をさらに含む。
【００３１】
頭部の動きのパラメータの確定を遅らせることにより、物体がその人の眼鏡フレームの正面をわずかな時間通過したときに警告を起動してその人を煩わすことを回避することができる。さらに、動きパラメータの測定により、その人が実際に読書の過程にあるか又は筆記の過程にあるかを確認することができる。距離の測定は装置の電力資源が有効に管理されるのを可能にするために、眼鏡の着用者が実際に読書モード又は筆記モードにある場合にのみ行われる。
【００３２】
一変形によれば、読書モードは、追加の読書設定距離に関連し、筆記モードは、追加の筆記設定距離に関連し、本方法は、測定された距離が、それぞれ読書／筆記設定距離と追加の読書／筆記設定距離との間の最大値より小さい場合に警告を起動するステップをさらに含み、それにより、起動の強度及び／または頻度が、それぞれ設定距離と追加の読書／筆記設定距離との間の測定された読書／筆記距離に応じて比例して変化する。
【００３３】
これにより、眼鏡の着用者に対して、その人が作業面にどの程度近すぎているかを通知することができる。
【００３４】
有利には、本方法は、
−  データを記録するステップであって、データが、測定された読書距離及び／若しくは筆記距離、測定された輝度値並びに／又は警告の起動の回数を含む、ステップと、
−  記録されたデータを外部の記録及び／又は表示デバイスに通信するステップと
をさらに含む。
【００３５】
好ましくは、本発明による方法は、外部の記録及び／又は表示デバイスにデータをリアルタイムに通信するステップをさらに含み、データは、測定された読書距離及び／若しくは筆記距離、測定された輝度値並びに／又は警告の起動の回数を含む。
【００３６】
本発明及びその利点は、本発明の実施形態の以下の説明を視野に入れてよりよく理解されるであろう。その実施形態は、例として且つ添付の図を参照して記載されている。
【図面の簡単な説明】
【００３７】
【図１】一方のテンプルに、本発明による読書モード又は筆記モードを確定する装置が備えられている、眼鏡フレームを例として示す。
【図２】本発明の一実施形態による装置が備えられた眼鏡フレームテンプルを示す。
【図３Ａ】筆記モードにある眼鏡の着用者を示す。
【図３Ｂ】読書モードにある眼鏡の着用者を示す。
【図４】側方から見た、一実施形態による装置の距離を測定する手段の例示的な角度配置を概略的に示す。
【図５】眼鏡フレームの２つのレンズ（又はフレームの２つのリム）の平均平面に対する読書モード又は筆記モードを確定する装置の距離を測定する一組の手段の例示的な構成を示す。
【図６】本発明による眼鏡の着用者の読書モード又は筆記モードを確定する方法において実施される連続したステップを示す。
【発明を実施するための形態】
【００３８】
以下の詳細な説明に記載する例に対して、距離を測定する手段は、眼鏡フレームに一体化される（固定される又は組み込まれる）ものと想定する。
【００３９】
第１態様によれば、本発明は、眼鏡フレームに固定して締結されるように意図される、眼鏡の着用者の読書モード又は筆記モードを確定する装置を提供する。たとえば、眼鏡は、近視を矯正する少なくとも１つの矯正レンズを備えることができる。図１は、例として、レンズ５を備える眼鏡フレーム４を示し、眼鏡フレーム５の一方のテンプル２に、本発明による装置１が備えられている。装置１は、レンズ５を囲むフレーム４のリムの頂部に、又は実際にフレーム４のブリッジにも配置することができる。
【００４０】
図２は、本発明の一実施形態による装置１が備えられた眼鏡フレーム４のテンプル２を示す。装置１は、フレーム又は頭部の要素と作業面との間の距離を測定する手段を備えている。図示する例では、距離を測定する手段は、フレーム４の２つのレンズ（又はフレーム４の２つのリム）の平均平面１０（図４を参照）と作業面１２（図３Ａ及び図３Ｂを参照）との間の距離を測定する手段３である。これらの手段は、測距手段３とも呼ばれる。作業面１２は、眼鏡着用者が読書しているか又は筆記している本、文書又は画面が位置する平面である。作業面は、眼鏡着用者の手に保持される本又はメモ帳等の読書面から構成することができる。作業面はまた、メモ帳が配置されるテーブル等、筆記面から構成することも可能である。読書面及び筆記面は、同じである場合もあれば異なる場合もある。
【００４１】
距離を測定する手段３は、２つの発光体３１と、２つの発光体３１のうちの少なくとも一方によって放出され且つ作業面によって反射される信号を受信することができるように配置された受信器３３（又はセンサ）とを備えている。測距手段３は、例えば、２つの赤外線発光ダイオードと赤外線に感応するセンサとを備えることができる。発光ダイオード３１は、ある発光錐で発光することができ、センサ３３は、ある受信錐を有することができる。
【００４２】
図２における実施形態では、装置１は、筆記面又は読書面の輝度値を測定する手段３５をさらに備えている。作業面の輝度値を測定する手段３５は、たとえば、可視光に対してヒトの眼の感度と同様の感度を有するフォトダイオードから構成することができる。反射率ρのランバート面に対する照度Ｅと輝度Ｌとの関係は、Ｌ＝Ｅρπと書ける。
【００４３】
さらに、装置１は、装置のさまざまな構成要素に対して電力を供給するバッテリ７を備えている。バッテリは、たとえばマイクロＵＳＢコネクタケーブルを用いて充電可能であり得る。
【００４４】
２つの発光体３１及び受信器３３を備える図２の実施形態には、センサが作業面の上に収束するように配置されているため、反射信号の特にロバストであり且つ精密な検出という利点がある。それらの位置及び向きは、個々の着用者の顔面の形態及び／又はフレーム４の形状に応じて調整可能である。平面Ｐは、個人の頭部の垂直正中面である。この平面Ｐは、顔面平面に対して直交している。
【００４５】
本発明による読書モード又は筆記モードを確定する装置はまた、警告手段（図示せず）も備えている。実施形態によれば、警告手段は、（任意選択的に点滅する）発光ダイオード等の視覚警報、音声警報、バイブレータ、又は複数のこれらの手段の組合せを含むことができる。これらの警告手段はまた、操作者、場合によってはたとえば親又は検眼士にメッセージを送信することにあり得る。視覚警報は、着用者に又は別の人の目に見えることができ、視覚警報を眼鏡フレーム４の内側にも外側にも配置することができることを意味する。視覚警報には、目立たないという利点があり、したがって、教室において子供の眼鏡の着用者が容易に使用することができる。
【００４６】
本発明による装置は、垂直平面Ｐにおいて２つのレンズ（又はフレームの２つのリム）の平均平面の傾斜角を測定する手段（図示せず）をさらに備えている。本発明の好ましい実施形態によれば、傾斜角を測定する手段は、傾斜計及び／又は加速度計を含む。したがって、これらの測定手段により、水平面に対する角度、特に人の頭部の傾斜角を測定することが可能になる。図３Ａ及び図３Ｂに、傾斜角αおよび垂直平面Ｐを示す。垂直平面Ｐは、図の平面に対応する。傾斜角αは、垂直面１４とフレーム４のレンズの平面１０との間で測定される。したがって、傾斜角αは、眼鏡の着用者の頭部の傾斜角に対応する。傾斜角αは、たとえば、３０°〜８０°の範囲にある可能性があり、好ましくは、図３Ａに示すように、人が水平の筆記面又は読書面１２を見ているとき、７０°の辺りとなる。人が手に保持する本等の傾斜した読書面１２を見ているとき、頭部の傾斜角αは、たとえば０°〜４５°の範囲にある可能性があり、好ましくは、３５°の辺りとなる。
【００４７】
本発明による装置はまた、読書モードと筆記モードとを識別することができる制御手段（図示せず）を備えている。この識別は、制御手段により、傾斜角の閾値に対する傾斜角αの比較を介して行われる。一実施形態では、制御手段は、傾斜角αが所定の設定傾斜角より大きいか否かを判断する。大きい場合、且つ傾斜角αが閾値傾斜角より小さい場合、制御手段は、眼鏡の着用者が読書モードにあると判断する。傾斜角αが閾値傾斜角より大きい場合、制御手段は、眼鏡の着用者が筆記モードにあると判断する。
【００４８】
制御手段は、たとえばマイクロプロセッサを含むことができる。読書モードは、読書設定距離に関連し、筆記モードは、筆記設定距離に関連する。読書設定距離及び筆記設定値の値は、同じである場合もあれば異なる場合もある。たとえば、筆記設定距離および読書設定距離は、約４０ｃｍであり得る。別法として、読書設定距離の値は、筆記設定距離の値より大きい場合がある。
【００４９】
図３Ａ及び図３Ｂは、筆記モード及び読書モードをそれぞれ示す。レンズの平面１０の閾値傾斜角は、たとえば、垂直面１４に対して約２０°であり得る。この例では、傾斜角が２０°より小さい場合、人は筆記モードにあり、これは、水平作業面に筆記するために好適な姿勢に対応する。傾斜角が２０°より大きい場合、人は読書モードにある。
【００５０】
本発明による装置では、警告手段は、読書モードにおける測定された距離が読書設定距離より小さい場合、及び／又は筆記モードにおける測定された距離が筆記設定距離より小さい場合、制御手段によって起動される。したがって、作業面までの距離が近方視に対して小さすぎる場合、眼鏡の着用者は、警告手段によって警告を受け、警告手段の動作を停止させるために、自身の姿勢を変えることによって作業面から離れるように移動するように促される。一実施形態によれば、輝度を測定する手段は警告手段に結合され、それにより、警告手段は、測定された輝度値が筆記距離又は読書距離それぞれの輝度設定値関数より小さい場合、制御手段によって起動される。たとえば、作業面までの距離が小さくなる場合、輝度設定値は高くなる可能性があり、作業面までの距離が大きくなる場合、低くなる可能性がある。警告手段は、人が見出されるモードに応じた設定距離が考慮される場合であっても、依然として起動され得る。
【００５１】
図４は、側面から見たフレーム４のレンズの平面１０に対する、距離を測定する手段３の例示的な角度配置を示す。この例では、距離を測定する手段３は、それらの主発光軸又は主受光軸により、（図の平面に対応する）垂直平面Ｐにおいて、フレーム４の２つのレンズ（又は２つのリム）の平均平面１０に直交する直線に対して０°〜２０°の間にある角度がもたらされるように配置されている。第１発光ダイオードの主軸３１０は、フレーム４のレンズの平均平面１０に対して垂直に向けられ、これは０°に対応する。第１ダイオードの主軸３１０は、２つのレンズの主平面１０に直交する直線と一致する。第２発光ダイオードの主軸３１１は、第１発光ダイオードの主軸３１０に対して２０°に向けられている。受光ダイオードは、その主軸３３０が主軸３１０に対して１０°、すなわち発光ダイオードの発光方向の間の中間に向けられる配置されている。
【００５２】
図４を参照すると、レンズの平面１０は、典型的には、前傾角Ｙが垂直面１４に対して約１０°であるように配置されており、それにより、人の注視を２つのレンズの平均平面に対して垂直であるようにすることができる。
【００５３】
特に好ましい実施形態では、本発明による装置は、読書距離及び／又は筆記距離を測定する二組の手段３を備えている。たとえば、眼鏡フレーム４の各テンプル２に、上述したような２つの発光ダイオード及びセンサを備えることができる。図５は、眼鏡フレーム４の２つのレンズ５の平均平面１０に対する装置１の距離を測定する一組の手段３の例示的な配置を示す。距離を測定する一組の手段３は、たとえば、フレーム４の２つのレンズ（又は２つのリム）の平均平面１０に直交する直線に対して、水平傾斜角δが−４５°〜０°の範囲にあるように、好ましくは、−３０°の辺りの角度であるように配置することができる。したがって、測定手段３は、眼鏡の個々の着用者の鼻ゾーンに対して収束するように配置されている。有利には、センサの水平傾斜角δは、個人の形状及び／又は形態に応じて調整可能であり得る。
【００５４】
有利には、一実施形態による装置は、外部の記録及び／又は表示デバイス（図示せず）と通信するための通信手段（図示せず）をさらに備えている。通信は、たとえばマイクロＵＳＢコネクタケーブル又は無線（Ｂｌｕｅｔｏｏｔｈ等）接続を介して行うことができる。装置はまた、測定された読書距離及び／又は筆記距離、測定された輝度値並びに／又は警告手段の起動の回数を記録する記録手段（図示せず）も備えることができる。記録手段は、たとえばメモリカードから構成することができる。
【００５５】
好ましくは、読書設定距離及び／若しくは筆記設定距離の値、傾斜角の閾値、並びに／又は輝度設定値等のパラメータは、個人化することができる。たとえば、検眼士又は眼科医は、マイクロＵＳＢケーブル又は無線（Ｂｌｕｅｔｏｏｔｈ等）接続によって実施形態による装置に接続された自身のコンピュータを用いて、これらの値のうちの１つ又は複数を調整することができる。そして、各眼鏡着用者は、近方視作業を行うときに自身に対して一意の姿勢をとるという事実を考慮することができる。
【００５６】
本発明による装置１は、眼鏡のフレーム４のテンプル２のうちの一方に取り付けるか又は一体化することができる。例えば、装置は、フレーム４のテンプル２のうちの一方に取外し可能に又は永続的に固定することができる。装置はまた、図２に示すように、フレーム４のテンプル２のうちの一方に一体化することも可能である。上述したように、フレーム４の２つのテンプル２の各々に装置１を備えることも可能である。
【００５７】
有利には、本発明による装置１は、眼鏡の着用者の筆記する手に対して反対側のフレーム４のテンプル２に取り付けられている。したがって、装置の正しい動作は、着用者の筆記する手によって妨げられず、読書距離及び／又は筆記距離の測定を正しく行うことができる。
【００５８】
上述した実施形態による装置には、小型であり、軽量であり、安価であるという利点がある。装置により、入射角が大きい場合であっても、約１センチメートルの精度で作業面までの距離を測定することができる。装置はまた、右利きの着用者及び左利きの着用者の姿勢に関する制約を満たすためにも好適である。
【００５９】
第２態様によれば、本発明は、上述した実施形態による装置を用いて眼鏡の着用者の読書モード又は筆記モードを確定する方法に関する。本方法の一実施形態を図６に概略的に示し、それは、以下のステップを含む。２つのレンズの平均平面の傾斜角αが測定される（ステップ１０１）。事前設定された時間Ｔの間、傾斜角αが設定傾斜角αｃより大きいか否かが判断される（ステップ１０２）。設定傾斜角αｃは、たとえば、垂直面に対して約−１０°であり得る。この遅延により、物体が人の眼鏡フレームの正面をわずかな時間通過したときに警告を起動するのを回避することができる。たとえば、所定時間Ｔは、概算で約１０秒間〜３０秒間であり得る。
【００６０】
所定時間Ｔの間、傾斜角αが設定傾斜角αｃより大きい場合、頭部の位置及び／又は向きの動きのパラメータｖαが求められる（ステップ１０３）。この確定は、例えば、本発明の第１態様による装置に一体化された、又は別法として眼鏡フレームに一体化された加速度計又はジャイロメータによって行うことができる。
【００６１】
頭部の位置及び／又は向きの動きのパラメータｖαは、たとえば、頭部のヨー角、ピッチ角及び／又はロール角に関連する動きの速度を含むことができる。
【００６２】
頭部の動きのパラメータの測定により、人が実際に読書の過程にあるか又は筆記の過程にあるかを確認することができる。特に、人の頭部が非常に且つ／又は迅速に動く場合、その人が読書又は筆記の作業を行っている可能性は低い。したがって、電力資源、たとえばバッテリの寿命を有効に管理されるのを可能にするために、眼鏡の着用者が実際に筆記モード又は読書モードにある場合にのみ、作業距離ｄｔの測定が行われる。
【００６３】
頭部の動きのパラメータが閾値動き値より低い場合、閾値傾斜角αｓに応じて読書モードと筆記モードとの識別が行われる（ステップ１０５及び１０６）。上述したように、読書モードは、閾値傾斜角αｓより小さく且つ設定傾斜角αｃより大きい傾斜角αと、読書設定距離ｄＬＣとに関連し、筆記モードは、閾値傾斜角αｓより大きい傾斜角αと筆記設定距離ｄＥＣとに関連する。
【００６４】
人が読書モードにある場合、２つのレンズの平均平面と読書面との間の読書距離ｄＬが測定される（ステップ１０７）。同様に、人が筆記モードにある場合、２つのレンズ（又はフレームの２つのリム）の平均平面と筆記面との間の筆記距離ｄＥが測定される（ステップ１０８）。モードに応じて測定された距離ｄＬ、ｄＥが、読書設定距離ｄＬＣ又は筆記設定距離ｄＥＣより小さいと判断された場合（それぞれステップ１０９および１１０）、着用者に対して姿勢を矯正するように警告するために警告が起動される（ステップ１１１）。
【００６５】
一実施形態では、読書モードは、追加の読書設定距離に関連し、筆記モードは、追加の筆記設定距離に関連する。そして、方法は、測定された読書／筆記距離が、それぞれ読書／筆記設定距離と追加の読書／筆記設定距離との間の最大値より小さいときに、警告を起動するステップをさらに含む。起動の強度及び／又は頻度は、それぞれ設定距離と追加の読書／筆記設定距離との間の測定された読書／筆記距離に応じて比例して変化する。たとえば、読書設定距離は２９ｃｍとすることができ、追加の読書設定距離は２４ｃｍとすることができる。そして、警報は、測定距離が２９ｃｍより小さいときに起動され、ある周波数の不連続な音声信号から構成することができる。音声信号の周波数は、測定された距離が２９ｃｍ〜２４ｃｍの間で低減したときに増大する。測定された距離が２４ｃｍより小さい場合、音声信号は連続的であり得る。
【００６６】
好ましくは、本発明による方法は、データを記録することをさらに含む。データは、測定された読書及び／若しくは筆記距離、測定された輝度値並びに／又は警告の起動の回数、並びに関連する日付及び／又は時間を含むことができる。記録されたデータを、たとえばマイクロＵＳＢコネクタケーブル又は無線接続によって、コンピュータ等の外部の録及び／又は表示デバイスに通信することも可能である。したがって、データを記録し、眼鏡着用者をモニタリングしている検眼士又は眼科医のコンピュータに送信することができる。
【００６７】
別法として、外部の記録及び／又は表示デバイスにデータをリアルタイムに通信することができる。
【００６８】
したがって、検眼士又は眼科医は、眼鏡の着用者の挙動をモニタリングすることができる。たとえば、警報の起動の回数又は頻度は、患者の進行性近視を示すことができる。そして、検眼士又は眼科医は、環境に応じて、作業面に対する個人の姿勢、又は個人の視力処方をよりよく管理するように警告閾値を適応させることができる。
【００６９】
上述した実施形態による方法は、読書面及び／又は筆記面の特質とは無関係に行うことができる。たとえば、読書面及び／又は筆記面（又は媒体）は、紙又はタブレットコンピュータ等のコンピュータの画面から構成することができる。同等に、上述した実施形態による装置は、あらゆるタイプの作業媒体で使用されるのに好適である。
【００７０】
上述した実施形態による方法は、特に、悪い近方視作業状態（不適切な姿勢、不十分な照明等）に連続して且つ繰返しさらされた後の遠視又は近視である子供に、かつ関連する視覚的欠陥の進行を低下させるために適用することができる。
【００７１】
実施形態による装置及び方法はまた、予防的器具を用いて、（視覚的欠陥のない）正常視の個人によっても使用することができることが留意されよう。
【図１】
0006470749.tif 000002
【図２】
0006470749.tif 000003
【図３Ａ】
0006470749.tif 000004
【図３Ｂ】
0006470749.tif 000005
【図４】
0006470749.tif 000006
【図５】
0006470749.tif 000007
【図６】
0006470749.tif 000008